(57)【要約】【課題】傘骨の組立てに手間が掛らず簡単に行うことができ、効率的に製造することができる傘骨及びこの傘骨を用いた傘を提供する。【解決手段】親骨１０における、上ろくろ２００に近い第１の親骨部１１と、上ろくろ２００から遠い第２の親骨部１２との間の枢支部１３がループ状に折り曲げて設けられている。受骨２０は、枢支部１３に枢動可能に連結されるように枢支孔１３１に貫通交差して連結されている枢結孔２２１を有する枢結部２２がループ状に折り返して設けられている。【選択図】図２
2014150976.tif 000002
【特許請求の範囲】
【請求項１】
長く延びるように設けられた中棒の軸線に沿う方向である軸方向上部に上ろくろが固定され、前記上ろくろの下方にて前記中棒の前記上ろくろに近づく開傘位置及び前記中棒の前記上ろくろから離れた閉傘位置の間に上下摺動可能にランナーが外嵌されてなる傘の前記上ろくろと前記ランナーとに枢動可能に連結されている傘骨であって、
長く延びる複数の親骨であって、それぞれの基端部が前記上ろくろに枢動可能に放射状に連結されている複数の親骨と、
長く延びる複数の受骨であって、それぞれの基端部が前記ランナーに枢動可能に連結され、前記ランナー側の前記基端部と反対側の先端部が前記親骨の前記基端部及び該基端部と反対側の先端部の間に枢動可能に連結されている複数の受骨とを備え、
前記親骨は、前記上ろくろに近い第１の親骨部と、前記上ろくろから遠い第２の親骨部とに２分割されるように前記受骨が枢動可能に連結されて設けられた枢支部を有し、
前記枢支部は、前記第１の親骨部と一体的に連結された第１の端と、前記第２の親骨部と一体的に連結された第２の端と、前記第１の端と前記第２の端の間に接続され前記受骨が枢動可能に連結される枢支孔が形成されているリング部とを有し、
前記受骨の前記先端部には、前記リング部に枢動可能に前記枢支孔に貫通して連結されている枢結部が設けられていることを特徴とする傘骨。
【請求項２】
前記リング部は、前記枢支孔が形成されるように前記第１の親骨部及び前記第２の親骨部の間をループ状に折り曲げて設けられていることを特徴とする請求項１に記載の傘骨。
【請求項３】
前記枢結部は、前記枢支孔に交差連結される枢結孔が形成されるように前記受骨の前記先端部を前記枢支孔に貫通すると共に前記受骨の前記基端部側に向かってループ状に折り返して設けられており、前記受骨の先端部から一体的に延伸された連結端と、前記連結端に近づくように折り返された折り返し端と、前記枢結孔が形成されるように前記連結端及び前記折り返し端の間をループ状に折り返して設けられた交差部とを有することを特徴とする請求項１又は２に記載の傘骨。
【請求項４】
長く延びるように設けられた中棒と、
前記中棒の軸線に沿う方向である軸方向上部に固定された上ろくろと、
前記上ろくろの下方にて前記中棒の前記上ろくろに近づく開傘位置及び前記中棒の前記上ろくろから離れた閉傘位置の間に上下摺動可能に外嵌されたランナーと、
前記上ろくろと前記ランナーとに枢動可能に連結されている傘骨とを備え、
前記傘骨は、請求項１〜３のいずれかの一項に記載の傘骨であることを特徴とする傘。
【発明の詳細な説明】
【技術分野】
【０００１】
本発明は、傘骨及び傘に関する。
【背景技術】
【０００２】
従来の傘では、中棒の軸線に沿う方向である軸方向に沿って中棒の軸方向上端に固定された上ろくろ及び軸方向下端に固定されたハンドルの間にランナーが摺動自在に外嵌されており、傘骨は、上ろくろに枢動可能に連結されている複数の親骨と、ランナーに枢動可能に連結されている複数の受骨とからなっており、親骨の基端部を上ろくろに枢着すると共に、受骨の先端部を枢結具によって親骨の中間部に枢着し、受骨の基端部をランナーに枢着しているものがある。枢結具は例えば特許文献１、２のように、親骨が貫通するスロットが画成するフレーム部材と、フレーム部材に親骨や受骨をリベット接続するように設けられた固定部材とを備えている。これにより、ランナーを中棒１の軸方向沿いに上ろくろ向きに又はハンドル向きに摺動せさせると、ランナーが受骨を連動し、間接的に親骨を上ろくろに相対して回動連動させて、傘を開いたり閉じたりすることができる。
【先行技術文献】
【特許文献】
【０００３】
【特許文献１】台湾登録実用新案第Ｍ４１１８１６号（第５図）
【特許文献２】台湾登録実用新案第Ｍ４０２０１２号（第１図）
【発明の概要】
【発明が解決しようとする課題】
【０００４】
上記従来の傘において、複数の親骨と複数の受骨とは複数の枢結具によって枢動可能に連結されているが、親骨や受骨の数に応じて枢結具の取付・リベット接続の工数も多くなるので、組立てに手間がかかり、効率的に傘を製造することができず、製造コストが上がる。
【０００５】
本発明は、上記問題点に鑑みてなされたものであり、傘骨の組立てに手間が掛らず簡単に行うことができ、効率的に製造することができる傘骨及びこの傘骨を用いた傘を提供することを目的とする。
【課題を解決するための手段】
【０００６】
上記目的を達成するために、一観点によれば、本発明に係る傘骨は、長く延びるように設けられた中棒の軸線に沿う方向である軸方向上部に上ろくろが固定され、前記上ろくろの下方にて前記中棒の前記上ろくろに近づく開傘位置及び前記中棒の前記上ろくろから離れた閉傘位置の間に上下摺動可能にランナーが外嵌されてなる傘の前記上ろくろと前記ランナーとに枢動可能に連結されている傘骨であって、長く延びる複数の親骨であって、それぞれの基端部が前記上ろくろに枢動可能に放射状に連結されている複数の親骨と、長く延びる複数の受骨であって、それぞれの基端部が前記ランナーに枢動可能に連結され、前記ランナー側の前記基端部と反対側の先端部が前記親骨の前記基端部及び該基端部と反対側の先端部の間に枢動可能に連結されている複数の受骨とを備え、前記親骨は、前記上ろくろに近い第１の親骨部と、前記上ろくろから遠い第２の親骨部とに２分割されるように前記受骨が枢動可能に連結されて設けられた枢支部を有し、前記枢支部は、前記第１の親骨部と一体的に連結された第１の端と、前記第２の親骨部と一体的に連結された第２の端と、前記第１の端と前記第２の端の間に接続され前記受骨が枢動可能に連結される枢支孔が形成されているリング部とを有し、前記受骨の前記先端部には、前記リング部に枢動可能に前記枢支孔に貫通して連結されている枢結部が設けられていることを特徴とする。
【０００７】
また、他の観点によれば、本発明は、上記傘骨を用いた傘をも提供する。
【発明の効果】
【０００８】
本発明に係る傘骨及び傘によれば、枢支部と枢結部とがループ状に形成され、枢結部が枢支部に交差されて連結されているので、親骨に受骨が枢動可能に連結されることができる。これによって、本発明に係る傘骨は手間がかからずに組み立てられることができ、製造コストを低減することができる。従って、簡単且つ効率的に製造された傘を得ることができる。
【図面の簡単な説明】
【０００９】
【図１】本発明に係る傘骨の一例を概略的に示す分解図である。
【図２】本発明に係る傘骨の一例を概略的に示す組立図である。
【図３】本発明に係る傘骨を用いた傘を概略的に示す図である。
【発明を実施するための形態】
【００１０】
図１、２は、本発明に係る傘骨の一例を概略的に示す図、図３は本発明に係る傘骨を用いた傘を概略的に示す図である。この傘は、図３に示すように、長く延びるように設けられた中棒１００と、中棒１００の上部に固定された上ろくろ２００と、上ろくろ２００の下方にて中棒１００の上ろくろ２００に近づく開傘位置及び中棒１００の上ろくろ２００から離れた閉傘位置の間に上下摺動可能に中棒１００に外嵌されたランナー３００と、上ろくろ２００とランナー３００とに枢動可能に連結されている傘骨１をそなえている。この傘の構成は、従来の傘とほぼ同様な構成を有するので、詳細な説明を省略する。
【００１１】
以下、添付図面を参照しながら、本発明の特徴構成である傘骨１について一実施例をもって詳しく説明する。
【００１２】
実施例
本発明に係る傘骨１は、図示の如く、長く延びる複数の親骨１０であって、それぞれの基端部１０ａが上ろくろ２００に枢動可能に放射状に連結されている複数の親骨１０と、長く延びる複数の受骨２０であって、それぞれの基端部２０ａがランナー３００に枢動可能に連結され、該基端部２０ａと反対側の先端部２０ｂが親骨１０の基端部１０ａ及び該基端部１０ａの反対側の先端部（図示せず）の間に枢動可能に連結されている受骨２０とを備えている。
【００１３】
親骨１０は、上ろくろ２００に近い第１の親骨部１１と、上ろくろ２００から遠い第２の親骨部１２とに２分割されるように受骨２０が枢動可能に連結されて設けられた枢支部１３を有する。
【００１４】
枢支部１３は、第１の親骨部１１と一体的に連結された第１の端１３２と、第２の親骨部１２と一体的に連結された第２の端１３３と、第１の端１３２と第２の端１３３の間に接続され受骨２０が枢動可能に連結される枢支孔１３１が形成されているリング部１３４とを有する。
【００１５】
なお、この例では、リング部１３４は、枢支孔１３１が形成されるように第１の親骨部１１及び第２の親骨部１２の間をループ状に折り曲げて設けられている。
【００１６】
受骨２０は、ランナー３００の移動に従って第１の親骨部１１側に近づく、又は第２の親骨部１２側に近づくよう、親骨１０に対して第１の親骨部１１及び第２の親骨部１２の間に揺動自在に枢着されている。
【００１７】
受骨２０の先端部２０ｂには、リング部１３４に枢動可能に枢支孔１３１に貫通して連結されている枢結部２２が設けられている。
【００１８】
枢結部２２は、この例では、枢支孔１３１に交差連結される枢結孔２２１が形成されるように受骨２０の先端部２０ｂを枢支孔１３１に貫通すると共に受骨２０の基端部２０ａ側に向かってループ状に折り返して設けられ、受骨２０の先端部２０ｂから一体的に延伸された連結端２２２と、連結端２２２に近づくように折り返された折り返し端２２３と、枢結孔２２１が形成されるように連結端２２２及び折り返し端２２３の間をループ状に折り返して設けられた交差部２２４とを有する。
【００１９】
本発明に係る傘骨を組み立てる時、まず、受骨２０の先端部２０ｂを折り返して、連結端２２２と折り返し端２２３との間に枢結部２２が開放された出入り口２２５が形成されている。親骨１０のリング部１３４が出入り口２２５を介して枢結孔２２１に収容されている。交差部２２４が枢支孔１３１を通して交差連結されると、出入り口２２５をなくすように連結端２２２及び折り返し端２２３を例えばクランプ工具などでかしめる。これによって、受骨２０の先端部２０ｂが親骨１０の枢支部１３に枢動可能に連結されることができる。
【００２０】
以上、本発明を実施例と共に説明したが、本発明はこの実施例にのみ限定されるものではなく、本発明の範囲内で変更等が可能である。
【００２１】
以上のように、本発明に係る傘骨１は、例えば折り曲げ加工により、枢支部１３と枢結部２２とがループ状に形成され、例えばかしめ加工により、枢支部１３に交差された枢結部２２の連結端２２２と折り返し端２２３とが密着されているので、親骨１０に受骨２０が枢動可能に連結されることができる。したがって、本発明に係る傘骨１は手間がかからずに組み立てられることができ、簡単且つ効率的に傘を製造することができ、製造コストが低減することができる。また、従来の傘に用いられた枢結具などを使わないので、枢結具の仕入れやストック空間をも省くことができるので、より一層コストダウンすることができる。
【産業上の利用可能性】
【００２２】
本発明に係る傘骨１は、例えば使い捨て長傘などに有用である。
【符号の説明】
【００２３】
１    傘骨
１０    親骨
１０ａ    基端部
１１    第１の親骨部
１２    第２の親骨部
１３    枢支部
２０    受骨
２０ａ    基端部
２０ｂ    先端部
２２    枢結部
１００    中棒
１３１    枢支孔
１３２    第１の端
１３３    第２の端
１３４    リング部
２００    上ろくろ
２２１    枢結孔
２２２    連結端
２２３    折り返し端
２２４    交差部
２２５    出入り口
３００    ランナー
【図１】
2014150976.tif 000003
【図２】
2014150976.tif 000004
【図３】
2014150976.tif 000005